(57)【要約】【課題】防水性および防塵性に優れた捕虫器を提供する。【解決手段】虫を誘引するための直管状の光源部１０と、光源部１０および虫捕獲用の粘着シートを保持するフレーム部２０と、を備える捕虫器１であって、光源部１０は、複数のＬＥＤ光源１１が搭載された回路基板１２と、所定範囲の交流電圧を直流電圧に変換して複数のＬＥＤ光源１１に供給する電圧変換回路と、回路基板１２および電圧変換回路を収容し、水および粉塵の浸入を妨げる直管状のケース１３と、を備えることを特徴とする。【選択図】図１
0003223660.tif 000002
【実用新案登録請求の範囲】
【請求項１】
虫を誘引するための直管状の光源部と、
前記光源部および虫捕獲用の粘着シートを保持するフレーム部と、
を備える捕虫器であって、
前記光源部は、
複数のＬＥＤ光源が搭載された回路基板と、
所定範囲の交流電圧を直流電圧に変換して前記複数のＬＥＤ光源に供給する電圧変換回路と、
前記回路基板および前記電圧変換回路を収容し、水および粉塵の浸入を妨げる直管状のケースと、
を備えることを特徴とする捕虫器。
【請求項２】
前記光源部の一端に電気的に接続された第１接続ケーブルと、
前記光源部の他端に電気的に接続された第２接続ケーブルと、
前記第２接続ケーブルに電気的に接続可能な電源コードと、
を備え、
前記第１接続ケーブルは、先端側に第１コネクタを有し、
前記第２接続ケーブルは、先端側に第２コネクタを有し、
前記電源コードは、前記第２コネクタに電気的に接続可能に構成された第３コネクタを一端側に有し、かつ電源プラグを他端側に有し、
前記第１コネクタは、前記第２コネクタに電気的に接続可能に構成されていることを特徴とする請求項１に記載の捕虫器。
【請求項３】
前記第２接続ケーブルは、前記第２コネクタと前記第３コネクタとの接続部分または前記第２コネクタと前記第１コネクタとの接続部分を囲む保護部材を備えることを特徴とする請求項２に記載の捕虫器。
【請求項４】
前記光源部は、保護等級ＩＰ６７を満たすことを特徴とする請求項１〜３のいずれか一項に記載の捕虫器。
【請求項５】
前記フレーム部は、
前記光源部の一端を保持する第１保持フレームと、
前記光源部の他端を保持する第２保持フレームと、
前記光源部の背面側に設けられ、前記粘着シートを着脱可能に保持する背面側フレームと、を備え、
前記光源部は、前記フレーム部の正面側から着脱可能になっており、
前記粘着シートは、前記フレーム部の正面側または側面側から着脱可能になっていることを特徴とする請求項１〜４のいずれか一項に記載の捕虫器。
【考案の詳細な説明】
【技術分野】
【０００１】
本考案は、捕虫器に関する。
【背景技術】
【０００２】
特許文献１には、光源と、粘着シートと、光源に電力を供給するための電源コードとを備える捕虫器が記載されている。特許文献１に記載の捕虫器は、電源コードのプラグを商用コンセントに差し込むことで、光源を点灯させて虫を誘引し、誘引した虫を粘着シートで捕獲することができる。しかしながら、複数台の捕虫器を設置する必要がある場合、設置場所によっては商用コンセントの数が不足して、十分な数の捕虫器を設置することができないという問題がある。
【０００３】
特許文献２には、商用コンセントの数による制約を受けにくい捕虫器が記載されている。特許文献２に記載の捕虫器は、光源に電力を供給するための電源コードと、電源コードに電気的に接続可能なコンセント部とを備える。
【０００４】
例えば、３台の捕虫器を設置する場合、第１の捕虫器の電源コードのプラグを商用コンセントに差し込み、第２の捕虫器の電源コードのプラグを第１の捕虫器のコンセント部に差し込み、かつ第３の捕虫器の電源コードのプラグを第２の捕虫器のコンセント部に差し込むことで、１つの商用コンセントから３台の捕虫器に電力供給を行うことができる。
【０００５】
ところで、特許文献２に記載の捕虫器は、防水性および防塵性に関しては、さらなる改善の余地がある。
【先行技術文献】
【特許文献】
【０００６】
【特許文献１】特開２００７−８号公報
【特許文献２】実用新案登録第３２２１４６６号公報
【考案の概要】
【考案が解決しようとする課題】
【０００７】
本考案は上記事情に鑑みてなされたものであって、その課題とするところは、防水性および防塵性に優れた捕虫器を提供することにある。
【課題を解決するための手段】
【０００８】
上記課題を解決するために、本考案に係る捕虫器は、
虫を誘引するための直管状の光源部と、
前記光源部および虫捕獲用の粘着シートを保持するフレーム部と、
を備える捕虫器であって、
前記光源部は、
複数のＬＥＤ光源が搭載された回路基板と、
所定範囲の交流電圧を直流電圧に変換して前記複数のＬＥＤ光源に供給する電圧変換回路と、
前記回路基板および前記電圧変換回路を収容し、水および粉塵の浸入を妨げる直管状のケースと、
を備えることを特徴とする。
【０００９】
この構成によれば、光源部のケースが水および粉塵の浸入を妨げるので、防水性および防塵性に優れた捕虫器を提供することできる。
【００１０】
上記捕虫器は、
前記光源部の一端に電気的に接続された第１接続ケーブルと、
前記光源部の他端に電気的に接続された第２接続ケーブルと、
前記第２接続ケーブルに電気的に接続可能な電源コードと、
を備え、
前記第１接続ケーブルは、先端側に第１コネクタを有し、
前記第２接続ケーブルは、先端側に第２コネクタを有し、
前記電源コードは、前記第２コネクタに電気的に接続可能に構成された第３コネクタを一端側に有し、かつ電源プラグを他端側に有し、
前記第１コネクタは、前記第２コネクタに電気的に接続可能に構成されていることが好ましい。
【００１１】
上記捕虫器において、
前記第２接続ケーブルは、前記第２コネクタと前記第３コネクタとの接続部分または前記第２コネクタと前記第１コネクタとの接続部分を囲む保護部材を備えるよう構成できる。
【００１２】
上記捕虫器において、
前記光源部は、保護等級ＩＰ６７を満たすよう構成できる。
【００１３】
上記捕虫器において、
前記フレーム部は、
前記光源部の一端を保持する第１保持フレームと、
前記光源部の他端を保持する第２保持フレームと、
前記光源部の背面側に設けられ、前記粘着シートを着脱可能に保持する背面側フレームと、を備え、
前記光源部は、前記フレーム部の正面側から着脱可能になっており、
前記粘着シートは、前記フレーム部の正面側または側面側から着脱可能になっていてもよい。
【考案の効果】
【００１４】
本考案によれば、防水性および防塵性に優れた捕虫器を提供することができる。
【図面の簡単な説明】
【００１５】
【図１】本考案に係る捕虫器の正面図である。
【図２】本考案に係る捕虫器の斜視図である。
【図３】本考案の第１コネクタを示す図である。
【図４】本考案の第２コネクタを示す図である。
【考案を実施するための形態】
【００１６】
以下、添付図面を参照して、本考案に係る捕虫器の実施形態について説明する。
【００１７】
［第１実施形態］
図１および図２に、本考案の一実施形態に係る捕虫器１を示す。捕虫器１は、虫を誘引するための直管状の光源部１０と、光源部１０および虫捕獲用の粘着シート（図示略）を保持するフレーム部２０と、第１接続ケーブル３０と、第２接続ケーブル４０と、電源コード５０とを備える。
【００１８】
光源部１０は、複数のＬＥＤ光源１１と、複数のＬＥＤ光源１１が配置された回路基板１２と、回路基板１２を収容する直管状のケース１３とを備える。
【００１９】
ＬＥＤ光源１１は、虫を誘引するためのもので、紫外線を含む光を照射する。本実施形態では、ＬＥＤ光源１１は、紫外線とともに可視光を照射する。複数のＬＥＤ光源１１は、回路基板１２の正面側に直線状に配置されている。
【００２０】
回路基板１２には、所定範囲の交流電圧を所定の直流電圧に変換してＬＥＤ光源１１に供給する電圧変換回路が搭載されている。本実施形態では、電圧変換回路は、回路基板１２の背面側に搭載され、実効値が８５［Ｖ］〜２６５［Ｖ］の交流電圧を直流電圧に変換することができる。すなわち、本実施形態に係る光源部１０は、日本だけでなく海外でも使用可能なグローバル仕様になっている。
【００２１】
ケース１３は、少なくとも正面側が、ＬＥＤ光源１１が発する光に対して透明な材料（例えば、透明なプラスチック）で構成されている。また、ケース１３は、水および粉塵の浸入を妨げるように密閉された構造になっている。これにより、光源部１０は、電子機器などの防塵および防水の性能水準を示すＩＰ規格において、保護等級ＩＰ６７を満たす。
【００２２】
フレーム部２０は、軽量化のために合成樹脂（本実施形態では、プラスチック）で構成されている。フレーム部２０は、第１保持フレーム２１と、第２保持フレーム２２と、背面側フレーム２３とを備える。
【００２３】
第１保持フレーム２１は、板状に形成され、背面側フレーム２３の右端部の正面側に取り付けられている。第１保持フレーム２１は、背面側に、第１光源保持手段２４を有する。第１光源保持手段２４は、光源部１０の一端を挟み込んで保持する。
【００２４】
第２保持フレーム２２は、板状に形成され、背面側フレーム２３の左端部の正面側に取り付けられている。第２保持フレーム２２は、背面側に、第２光源保持手段２５を有する。第２光源保持手段２５は、光源部１０の他端を挟み込んで保持する。
【００２５】
背面側フレーム２３は、背面側に突出するように折り曲げられた形状をしている。虫捕獲用の粘着シートは、背面側フレーム２３の正面側に配置される。背面側フレーム２３は、正面側の上端近傍に第１シート保持手段２６を有し、正面側の下端近傍に第２シート保持手段２７を有する。第１シート保持手段２６は粘着シートの上端を保持し、第２シート保持手段２７は粘着シートの下端を保持する。
【００２６】
また、背面側フレーム２３は、両端部の背面側に、左右一対の取付手段２８を備える。取付手段２８には、フレーム部２０を吊り下げるための鎖等を通す貫通孔が形成されている。
【００２７】
フレーム部２０は、正面の第１保持フレーム２１と第２保持フレーム２２との間、右側面の第１保持フレーム２１と背面側フレーム２３との間、および左側面の第２保持フレーム２２と背面側フレーム２３との間に、それぞれ開口部を有する。このため、光源部１０は、正面の開口部から着脱可能になっており、粘着シートは、正面または両側面の開口部から着脱可能になっている。
【００２８】
第１接続ケーブル３０は、複数の捕虫器１を互いに電気的に接続するためのもので、光源部１０の一端側に電気的に接続されている。第１接続ケーブル３０は、フレーム部２０の右側面の開口部からフレーム部２０の外に引き出されており、先端側に第１コネクタ３１を有する。
【００２９】
第１コネクタ３１は、後述する第２接続ケーブル４０の第２コネクタ４１に電気的に接続可能に構成されている。図３に示すように、第１コネクタ３１は、第１円筒壁部３１ａと、第１円筒壁部３１ａの内側に環状空間部３１ｂを介して設けられた柱状部３１ｃと、柱状部３１ｃに設けられた一対の差し込み口３１ｄとを有する。第１円筒壁部３１ａの外周面には、雄ネジが形成されている。後述する電源コード５０の第３コネクタ５１も、第１コネクタ３１と同様の形状をしている。
【００３０】
図１および図２に示すように、第１コネクタ３１には、防水用のキャップ３２が装着されている。キャップ３２の内周面には、第１円筒壁部３１ａの雄ネジに螺合する雌ネジが形成されている。キャップ３２は、コネクタ接続時には取り外す必要がある。
【００３１】
第２接続ケーブル４０は、電源コード５０を接続するか、または別の捕虫器１の第１接続ケーブル３０を電気的に接続するためのもので、光源部１０の他端側に電気的に接続されている。第２接続ケーブル４０は、フレーム部２０の左側面の開口部からフレーム部２０の外に引き出されている。第２接続ケーブル４０は、先端側に第２コネクタ４１を有し、かつケーブルに沿ってスライド可能に構成された保護部材４２を有する。
【００３２】
第２コネクタ４１は、第１コネクタ３１に電気的に接続可能に構成され、かつ第３コネクタ５１にも電気的に接続可能に構成されている。図４に示すように、第２コネクタ４１は、フランジ部４１ａと、フランジ部４１ａに設けられた第２円筒壁部４１ｂと、第２円筒壁部４１ｂの内側に設けられた一対のピン４１ｃとを有する。第２円筒壁部４１ｂは、第１コネクタ３１の環状空間部３１ｂに挿入可能に構成されており、ピン４１ｃは、第１コネクタ３１の差し込み口３１ｄおよび第３コネクタ５１の差し込み口に差し込み可能に構成されている。
【００３３】
また、第２円筒壁部４１ｂの外周面には、環状のパッキン（図示略）が設けられている。パッキンは、コネクタ接続時に、第１コネクタ３１の第１円筒壁部３１ａの先端面とフランジ部４１ａとによって、または第３コネクタ５１の第１円筒壁部の先端面とフランジ部４１ａとによって挟まれる。パッキンは、防水および防塵の機能を発揮する。
【００３４】
保護部材４２は、第２コネクタ４１の接続部分を囲む構造になっており、接続部分に対して防水および防塵の機能を発揮する。例えば、第２接続ケーブル４０に電源コード５０を接続した場合、保護部材４２は、第２コネクタ４１と第３コネクタ５１との接続部分への水および粉塵の浸入を妨げる。同様に、第２接続ケーブル４０と別の捕虫器１の第１接続ケーブル３０とを接続した場合、保護部材４２は、第２コネクタ４１と第１コネクタ３１との接続部分への水および粉塵の浸入を妨げる。保護部材４２の内周面には、第３コネクタ５１の第１円筒壁部の雄ネジと、第１コネクタ３１の第１円筒壁部３１ａの雄ネジとに螺合する雌ネジが形成されている。
【００３５】
電源コード５０は、商用コンセントから光源部１０に電力を供給するためのものである。電源コード５０は、第２コネクタ４１に電気的に接続可能に構成された第３コネクタ５１を一端側に有し、かつ商用コンセントに差し込み可能に構成された電源プラグ５２を他端側に有する。電源コード５０を第２接続ケーブル４０に接続した状態で、電源プラグ５２を商用コンセントに差し込むと、商用コンセントから電源コード５０および第２接続ケーブル４０を介して、光源部１０に電力が供給される。
【００３６】
本実施形態では、光源部１０がＡＣ８５〜２６５［Ｖ］が対応していることから、電源コード５０も上記交流電圧範囲に対応したもの用いることができる。例えば、ある時にはＡＣ１００［Ｖ］用の電源コード５０を使用し、別の時にはＡＣ２００［Ｖ］用の電源コード５０を使用してもよい。すなわち、使用する国のコンセントの規格に応じて電源プラグ５２の形状を変更する（コンセントに接続可能な電源プラグ５２を有する電源コード５０を選択する）ことができるので、本実施形態に係る捕虫器１は、日本だけでなく海外でも使用可能なグローバルな仕様となる。
【００３７】
結局、本実施形態に係る捕虫器１は、光源部１０のケース１３が水および粉塵の浸入を妨げるよう構成されており、光源部１０が保護等級ＩＰ６７を満たす。すなわち、本実施形態に係る捕虫器１は、防水性および防塵性に優れている。
【００３８】
本実施形態に係る捕虫器１は、第１接続ケーブル３０、第２接続ケーブル４０、および電源コード５０を備えるので、商用コンセントの数による制約を受けにくい。例えば、３台の捕虫器１を設置する場合、第１の捕虫器１の第２接続ケーブル４０に接続した電源コード５０を商用コンセントに接続し、第１の捕虫器１の第１接続ケーブル３０を第２の捕虫器１の第２接続ケーブル４０に接続し、かつ第２の捕虫器１の第１接続ケーブル３０を第３の捕虫器１の第２接続ケーブル４０に接続することで、１つの商用コンセントから３台の捕虫器１に電力供給を行うことができる。
【００３９】
本実施形態に係る捕虫器１は、ＬＥＤ光源１１を使用しているので、蛍光灯を使用した場合と比較して、長寿命かつ低消費電力化を実現することができる。
【００４０】
本実施形態に係る捕虫器１は、フレーム部２０をプラスチックで構成しているので、軽量化を図ることができ、持ち運びに便利である。また、プラスチックは防水性および防塵性に優れているので、光源部１０とともに用いるフレーム部２０の材料として適している。
【００４１】
以上、本考案に係る捕虫器の好ましい実施形態について説明したが、本考案は上記実施形態に限定されるものではない。
【００４２】
本考案に係る捕虫器は、虫を誘引するための直管状の光源部と、光源部および虫捕獲用の粘着シートを保持するフレーム部とを備え、光源部が、複数のＬＥＤ光源が配置された回路基板と、回路基板を収容し、水および粉塵の浸入を妨げる直管状のケースと、を備えるのであれば、適宜構成を変更できる。
【００４３】
本考案に係る捕虫器は、少なくとも１つの延長ケーブルを備えていてもよい。延長ケーブルは、第２コネクタ４１に電気的に接続可能に構成された第４コネクタを一端側に有し、第１コネクタ３１および第３コネクタ５１に電気的に接続可能に構成された第５コネクタを他端側に有する。第４コネクタは、第１コネクタ３１および第３コネクタ５１と同様の形状をしており、第５コネクタは、第２コネクタ４１と同様の形状をしている。
【００４４】
すなわち、本考案に係る捕虫器は、第２接続ケーブル４０に少なくとも１つの延長ケーブルを介して電源コード５０を接続することができ、また、第２接続ケーブル４０に少なくとも１つの延長ケーブルを介して別の捕虫器１の第１接続ケーブル３０を接続することもできる。
【符号の説明】
【００４５】
１    捕虫器
１０    光源部
１１    ＬＥＤ光源
１２    回路基板
１３    ケース
２０    フレーム部
２１    第１保持フレーム
２２    第２保持フレーム
２３    背面側フレーム
２４    第１光源保持手段
２５    第２光源保持手段
２６    第１シート保持手段
２７    第２シート保持手段
２８    取付手段
３０    第１接続ケーブル
３１    第１コネクタ
３２    キャップ
４０    第２接続ケーブル
４１    第２コネクタ
４２    保護部材
５０    電源コード
５１    第３コネクタ
５２    電源プラグ
【図１】
0003223660.tif 000003
【図２】
0003223660.tif 000004
【図３】
0003223660.tif 000005
【図４】
0003223660.tif 000006